(57)【要約】【課題】コンクリートブロック１０と木材４０とを容易に一体化することで施工現場における作業性に優れるコンクリートブロック１０を提供する。【解決手段】コンクリートブロック１０は、矩形状の前面２２を有するコンクリート製の本体２０と、正面視で前面２２を覆うように複数の木材４０を配置する木材配置部３０と、を含む。木材配置部３０は、木材４０を載せる載置部材３４と、前面２２との間で木材４０を保持する複数の縦部材３２と、を含む。縦部材３２及び載置部材３４は本体２０に固定される。複数の縦部材３２の間から複数の木材４０が正面視で見えるように構成する。【選択図】図１
2019189997.tif 000002
【特許請求の範囲】
【請求項１】
矩形状の前面を有するコンクリート製の本体と、
正面視で前記前面を覆うように複数の木材を配置する木材配置部と、
を含み、
前記木材配置部は、
前記木材を載せる載置部材と、
前記前面との間で前記木材を保持する複数の縦部材と、
を含み、
前記縦部材及び前記載置部材は前記本体に固定され、
複数の前記縦部材の間から複数の前記木材が正面視で見えるように構成することを特徴とする、コンクリートブロック。
【請求項２】
請求項１において、
前記縦部材は、前記前面の両端付近に一対配置され、
前記縦部材は、上下に延びる前壁及び側壁を有し、
前記前壁は、前記載置部材上に積み重ねられる複数の前記木材の前方への移動を制限し、
前記側壁は、対向する他方の前記側壁との間に配置される前記木材の側方への移動を制限することを特徴とする、コンクリートブロック。
【請求項３】
請求項１または２において、
前記本体の上面から突出する上部凸部と、前記本体の下面から突出する下部凸部と、をさらに含み、
前記載置部材は、前記前面の下端と同じ高さに配置され、
前記縦部材は、前記上部凸部の上端の高さまで延在し、
前記木材配置部に複数の前記木材を配置すると正面視で前記前面及び前記上部凸部まで覆うことを特徴とする、コンクリートブロック。
【請求項４】
請求項１〜請求項３のいずれか１項に記載の前記コンクリートブロックを複数積み重ねて配置する擁壁であって、
前記木材配置部に複数の前記木材を配置した状態で前記木材配置部が前記擁壁の前面を構成することを特徴とする、擁壁。
【請求項５】
請求項１〜請求項３のいずれか１項に記載の前記コンクリートブロックを複数積み重ねて配置する砂防堰堤であって、
前記木材配置部に複数の前記木材を配置した状態で前記木材配置部が前記砂防堰堤の前面を構成することを特徴とする、砂防堰堤。
【発明の詳細な説明】
【技術分野】
【０００１】
本発明は、擁壁や砂防堰堤などを構築するためのコンクリートブロックと、当該コンクリートブロックを用いて構築した擁壁及び砂防堰堤に関する。
【背景技術】
【０００２】
従来、河川や道路などの法面の安定のために設けられる擁壁及び砂防堰堤などを構築するためにコンクリートブロックが用いられることが有る。このようなコンクリートブロックを積層した場合、擁壁や砂防堰堤の前面にコンクリート面が露出することになり、景観に問題がある。
【０００３】
そこで、コンクリートブロックの前面を木材で覆うことにより自然な景観を呈する擁壁を構築できるコンクリートブロックが提案されている（特許文献１）。
【先行技術文献】
【特許文献】
【０００４】
【特許文献１】特開２００６−３７３６５号公報
【発明の概要】
【発明が解決しようとする課題】
【０００５】
しかしながら、特許文献１のコンクリートブロックは、木材を上下に貫通する長尺ボルトとＬ形金具とによって取り付けられており、施工現場での作業性に改善の余地が残されている。すなわち、特許文献１のコンクリートブロックでは、木材を積層してＬ形金具の高さになるように木材を選別して加工しなければならず、また木材に所定間隔で長尺ボルトを通す貫通孔を形成しなくてはならない。特に、山で伐採した間伐材の利用に際して木材の選別作業や追加の加工といった工数が増えることは施工現場での作業性を低下させる要因となる。
【課題を解決するための手段】
【０００６】
そこで、本発明は上述の課題の少なくとも一部を解決するためになされたものであり、以下の態様または適用例として実現することができる。
【０００７】
[１]本発明に係るコンクリートブロックの一態様は、
矩形状の前面を有するコンクリート製の本体と、
正面視で前記前面を覆うように複数の木材を配置する木材配置部と、
を含み、
前記木材配置部は、
前記木材を載せる載置部材と、
前記前面との間で前記木材を保持する複数の縦部材と、
を含み、
前記縦部材及び前記載置部材は前記本体に固定され、
複数の前記縦部材の間から複数の前記木材が正面視で見えるように構成することを特徴とする。
【０００８】
［２］前記コンクリートブロックの一態様において、
前記縦部材は、前記前面の両端付近に一対配置され、
前記縦部材は、上下に延びる前壁及び側壁を有し、
前記前壁は、前記載置部材上に積み重ねられる複数の前記木材の前方への移動を制限し
、
前記側壁は、対向する他方の前記側壁との間に配置される前記木材の側方への移動を制限することができる。
【０００９】
［３］前記コンクリートブロックの一態様において、
前記本体の上面から突出する上部凸部と、前記本体の下面から突出する下部凸部と、をさらに含み、
前記載置部材は、前記前面の下端と同じ高さに配置され、
前記縦部材は、前記上部凸部の上端の高さまで延在し、
前記木材配置部に複数の前記木材を配置すると正面視で前記前面及び前記上部凸部まで覆うことができる。
【００１０】
［４］本発明に係る擁壁の一態様は、
前記コンクリートブロックを複数積み重ねて配置する擁壁であって、
前記木材配置部に複数の前記木材を配置した状態で前記木材配置部が前記擁壁の前面を構成することを特徴とする。
【００１１】
［５］本発明に係る砂防堰堤の一態様は、
前記コンクリートブロックを複数積み重ねて配置する砂防堰堤であって、
前記木材配置部に複数の前記木材を配置した状態で前記木材配置部が前記砂防堰堤の前面を構成することを特徴とする。
【発明の効果】
【００１２】
本発明に係るコンクリートブロックの一態様によれば、本体と木材とを容易に一体化することができるため施工現場における作業性に優れる。本発明に係る擁壁の一態様によれば、本体と木材とを容易に一体化することができるため、擁壁の施工に際し作業性に優れる。本発明に係る砂防堰堤の一態様によれば、本体と木材とを容易に一体化することができるため、砂防堰堤の施工に際し作業性に優れる。
【図面の簡単な説明】
【００１３】
【図１】本実施形態に係るコンクリートブロックの平面図である。
【図２】本実施形態に係るコンクリートブロックの組立方法を説明する右側面図である。
【図３】本実施形態に係るコンクリートブロックの組立方法を説明する正面図である。
【図４】縦部材及び載置部材の斜視図である。
【図５】本実施形態に係る擁壁の正面図である。
【図６】本実施形態に係る擁壁の側面図である。
【図７】本実施形態に係る砂防堰堤の正面図である。
【図８】本実施形態に係る砂防堰堤の側面図である。
【図９】変形例に係る砂防堰堤の側面図である。
【発明を実施するための形態】
【００１４】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００１５】
１．コンクリートブロック
図１〜図４を用いて本実施形態に係るコンクリートブロック１０について詳細に説明す
る。図１は本実施形態に係るコンクリートブロック１０の平面図であり、図２は本実施形態に係るコンクリートブロック１０の組立方法を説明する右側面図であり、図３は本実施形態に係るコンクリートブロック１０の組立方法を説明する正面図であり、図４は縦部材３２及び載置部材３４の斜視図である。図２では図の手前側の縦部材３２を省略して示す。
【００１６】
図１〜図３に示すように、コンクリートブロック１０は、矩形状の前面２２を有するコンクリート製の本体２０と、正面視で前面２２を覆うように複数の木材４０を配置する木材配置部３０と、を含む。コンクリートブロック１０の前面２２が木材４０で覆われることによりコンクリート壁面が露出せず自然な景観を呈することができる。
【００１７】
本体２０は、平面視で略矩形状の上面２６と、上面２６に対向する下面２７と、上面２６と下面２７とに連続する４つの側面と、を備える。本体２０は、コンクリート製であり、内部に鉄骨を含んでもよい。
【００１８】
上面２６は、平面視で角部が突出する略矩形状であり、間隔を隔てた一対の上部凸部２８を有する。下面２７は、上面２６と同一形状であるが、破線で示した位置に一対の下部凸部２９を有する。上部凸部２８及び下部凸部２９は、コンクリートブロック１０を積み重ねた状態で上下のコンクリートブロック１０の上部凸部２８及び下部凸部２９と係合し、コンクリートブロック１０の前後の移動を制限する。
【００１９】
４つの側面である前面２２、背面２３、左側面２４及び右側面２５は、基本形状が同じであり、各面の正面視で高さ方向が短い矩形状である。
【００２０】
木材配置部３０は、木材４０を載せる載置部材３４と、前面２２との間で木材４０を保持する複数の縦部材３２と、を含む。縦部材３２及び載置部材３４は本体２０に固定される。載置部材３４の上に複数の木材４０を積み重ねるように載せ、かつ、複数の縦部材３２と前面２２との間で複数の木材４０を保持することにより、木材４０を容易に木材配置部３０に設置することができる。したがって、コンクリートブロック１０と木材４０とを容易に一体化することができるため施工現場における作業性に優れる。
【００２１】
木材配置部３０は、複数の縦部材３２の間から複数の木材４０が正面視で見えるように構成する。コンクリートブロック１０の前面２２が木材４０で覆われることにより自然な景観とするためである。
【００２２】
縦部材３２は、前面２２の正面視で左右の両端付近に一対配置される。一対の縦部材３２を両端に配置することにより水平方向に延びる木材４０を複数積み重ねて構成した広い木質の面を形成することができる。このような広い木質の面は自然な景観に寄与する。本実施形態で縦部材３２は２本備えるがこれに限るものではなく、例えば間隔をあけて３本以上の縦部材３２を配置してもよいし、木材４０の前方及び側方への移動を制限できれば１本の縦部材３２を前面２２の中央付近に設けてもよい。
【００２３】
縦部材３２は、上下に延びる前壁３２２及び側壁３２４を有する。前壁３２２は、載置部材３４上に積み重ねられる複数の木材４０の前方への移動を制限する。側壁３２４は、対向する他方の側壁３２４との間に配置される木材４０の側方への移動を制限する。すなわち、図３における前面２２の左右両端に配置された一対の側壁３２４の間で木材４０が左右方向への移動を制限される。縦部材３２により前方及び側方への木材４０の移動を制限することでコンクリートブロック１０を組み立てた状態で吊上げて施工する場合に木材４０を安定して保持できる。また経年劣化により木材４０が変形等した場合でも木材４０を安定して長期間保持できる。
【００２４】
載置部材３４は、縦部材３２の下端に一体に形成される。縦部材３２と一体であることによりコンクリートブロック１０の生産性に優れる。載置部材３４は縦部材３２の下端から水平方向に延びる板状体であり、板状体の上面に木材４０を載せることができる。載置部材３４は木材４０を両端で支持するため縦部材３２と同様に一対存在する。載置部材３４は、その上に複数の木材４０を積み重ねて載せることができる。載置部材３４の形状は木材４０を水平に支持することができれば本実施形態の形態に限られず、例えば本体２０から前方に突出する板状体や、同様に突出する複数の棒状体であってもよい。
【００２５】
縦部材３２及び載置部材３４は金属製例えば鉄製である。
【００２６】
縦部材３２は、本体２０に一端が固定された固定部材３２６の他端に固定される。固定部材３２６は、一端が本体２０の内部まで延びる金属板であり、図示しない型枠内における本体２０のコンクリートの打設時に一体に成型される。固定部材３２６は、前面２２の左右の両端から斜め前方に突出して形成される。固定部材３２６は、前面２２の高さ方向の中段付近にあり、例えば複数のボルトや溶接によって側壁３２４と固定される。
【００２７】
前壁３２２は、前壁３２２と同じ高さと幅を有する化粧木材４２が固定される。前壁３２２の幅が狭く化粧木材４２を設けなくても自然な景観への影響が小さければ化粧木材４２を設けなくてもよい。
【００２８】
図４に示すように、前壁３２２と側壁３２４とは横方向の端部で結合してＬ型アングル状の形態を有し、前壁３２２と側壁３２４の下端に載置部材３４が結合して一体化している。前壁３２２と側壁３２４と載置部材３４とは溶接により例えば一体化することができる。
【００２９】
前壁３２２の幅は、木材４０の長さにばらつきがあっても木材４０の前方への移動を制限できるように、例えば１００ｍｍ〜２００ｍｍの幅が望ましい。
【００３０】
前壁３２２と前面２２との間隔は、一般的な間伐材が入る程度であればよく、例えば１００ｍｍ〜２００ｍｍであることができる。
【００３１】
側壁３２４の幅は、木材４０の太さにばらつきがあっても木材配置部３０に配置した木材４０の移動を制限できる幅を有している。側壁の幅は例えば１００ｍｍ〜２００ｍｍである。
【００３２】
前壁３２２から前面２２方向への載置部材３４の長さは、載置部材３４上に載置した木材４０の太さにばらつきがあっても木材４０が落下しない長さを有している。載置部材３４の前記長さは前壁３２２と前面２２との間の距離と同じであってもよく、例えば１００ｍｍ〜３００ｍｍであることができる。
【００３３】
本体２０は、上面２６から上方へ突出する上部凸部２８と、下面２７から下方へ突出する下部凸部２９とを含む。載置部材３４は、前面２２の下端２２０と同じ高さに配置され、縦部材３２は、上部凸部２８の上端２８０の高さまで延在する。木材配置部３０に複数の木材４０（図１〜図３では５本の木材４０）を配置すると正面視で前面２２及び上部凸部２８まで覆うことができる。したがって、後述するような擁壁や砂防堰堤などがコンクリートブロック１０を積み重ねることにより構築された場合に、木材４０がコンクリートの壁面をほとんど覆うことができる。
【００３４】
図２〜図４を用いてコンクリートブロック１０の組立方法について説明する。図２及び
図３の上方の図では本体２０と木材４０とが一体化する前の状態を示し、下方の図では本体２０と木材４０とが一体化した状態を示している。
【００３５】
図示しない型枠から取り出したコンクリート製の本体２０には前面２２の両端から突出した一対の固定部材３２６がある。図４に示すように固定部材３２６の先端に縦部材３２及び載置部材３４が複数のボルトで固定される。
【００３６】
次に、図４に示すように前壁３２２には丸太を縦に２分した化粧木材４２が固定ボルト４２０で固定される。
【００３７】
次に、図２及び図３に示すように木材配置部３０に木材４０を上から縦部材３２で案内しながら載置部材３４の上に載せる。一対の載置部材３４の上に水平に置かれた木材４０の上に複数例えば４本の木材４０を積み重ねるように水平に載せる。
【００３８】
一番上の木材４０は側壁３２４に例えばボルトで固定される。図４に示すように側壁３２４には貫通孔である固定孔３２５が形成され、図示しないボルトを側壁３２４の外側から木材４０の両端にねじ込んで固定してもよい。
【００３９】
木材配置部３０に配置された木材４０は、縦部材３２に案内されて載置部材３４の上に重ねていくことで容易に本体２０と一体化することができ、施工現場における作業性に優れる。また、木材４０が載置部材３４上で縦部材３２及び前面２２との間に挿入されるだけであるので、木材４０が経年劣化により変形・腐朽したとしても木材４０が落下しにくい。さらに、木材４０を入れ替えることも可能である。
【００４０】
なお、本体２０は、平面視で略正方形であるが、これに限らず公知のコンクリートブロックの形態を採用してもよい。また、本体２０の前面２２だけでなく、背面２３にも同様の木材配置部３０を設けてもよい。
【００４１】
２．擁壁
図５及び図６を用いて擁壁８０について説明する。図５は本実施形態に係る擁壁８０の正面図であり、図６は本実施形態に係る擁壁８０の側面図である。
【００４２】
図５及び図６に示すように擁壁８０は、コンクリートブロック１０を複数積み重ねて配置する。本実施形態における擁壁８０は、コンクリートブロック１０を４段積み重ねて構築する例について説明する。
【００４３】
擁壁８０は、例えばコンクリートブロック１０を正面視で上段の中心が下段の継ぎ目の真上に来るような千鳥組みで積み重ねて構築される。擁壁８０は、上段のコンクリートブロック１０が下段のコンクリートブロック１０よりも後退するように積み重ねられて構築される。そのため、図８に用いたコンクリートブロック１０の上部凸部２８は、図１〜図３におけるコンクリートブロック１０の上部凸部２８よりも背面２３側に形成されている。擁壁８０が垂直な壁面であれば、コンクリートブロック１０は後方にずらして配置せず、図１〜図３に示したコンクリートブロック１０を垂直に積み重ねて構成してもよい。
【００４４】
擁壁８０は、木材配置部３０に複数の木材４０を配置した状態で木材配置部３０が擁壁８０の前面８２を構成する。擁壁８０によれば、コンクリートブロック１０について説明した通り本体２０と木材４０とを容易に一体化することができるため、擁壁８０の施工に際し作業性に優れる。擁壁８０の前面８２を木材配置部３０の木材４０で構成することができるため、コンクリート壁面が前面８２に見えず自然な景観を呈する擁壁８０を構築できる。
【００４５】
コンクリートブロック１０の背面２３側には裏込め材８４及び地山８６がある。コンクリートブロック１０の下端には現場打ちコンクリートによる基礎を設けてもよいし、地盤が良ければコンクリート基礎を設けなくてもよい。
【００４６】
擁壁８０は全てをコンクリートブロック１０で構成したが、擁壁８０の一部にコンクリートブロック１０を採用してもよい。
【００４７】
３．砂防堰堤
図７〜図９を用いて砂防堰堤９０，９１について説明する。図７は本実施形態に係る砂防堰堤９０の正面図であり、図８は本実施形態に係る砂防堰堤９０の側面図であり、図９は変形例に係る砂防堰堤９１の側面図である。
【００４８】
図７及び図８に示すように、砂防堰堤９０は、コンクリートブロック１０を複数積み重ねて配置する。砂防堰堤９０は、例えば、コンクリートブロック１０を４段〜７段積み重ねて構築される。
【００４９】
砂防堰堤９０は、図７のように正面視で千鳥組みにて積み重ねられ、図８のように他のコンクリートブロック１２の前方にコンクリートブロック１０が配置される。
【００５０】
図８に示すように、砂防堰堤９０は、木材配置部３０に複数の木材４０を配置した状態で木材配置部３０が砂防堰堤９０の前面９２を構成する。砂防堰堤９０によれば、コンクリートブロック１０について説明した通り本体２０と木材４０とを容易に一体化することができるため、砂防堰堤９０の施工に際し作業性に優れる。砂防堰堤９０の前面９２を木材配置部３０の木材４０で構成することができるため、コンクリート壁面が砂防堰堤９０の前面９２に見えず自然な景観を呈する砂防堰堤９０を構築できる。コンクリートブロック１０の後方に配置する他のコンクリートブロック１２には木材配置部３０がない。
【００５１】
砂防堰堤９０は砂防堰堤前面９２の全てをコンクリートブロック１０で構成したが、砂防堰堤前面９２の一部にコンクリートブロック１０を採用してもよい。
【００５２】
図９に示すように、変形例に係る砂防堰堤９１は、既設砂防堰堤９４の前方にコンクリートブロック１０を積み重ねて構築される。砂防堰堤９１の砂防堰堤前面９２は、木材配置部３０に複数の木材４０を配置した状態でコンクリートブロック１０によって構成される。砂防堰堤９１は、既設砂防堰堤９４の補強と景観への配慮を可能とする。
【００５３】
本発明は、上述した実施形態に限定されるものではなく、さらに種々の変形が可能である。例えば、本発明は、実施形態で説明した構成と実質的に同一の構成（例えば、機能、方法、及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００５４】
１０…コンクリートブロック、１２…他のコンクリートブロック、２０…本体、２２…前面、２２０…下端、２３…背面、２４…左側面、２５…右側面、２６…上面、２７…下面、２８…上部凸部、２８０…上端、２９…下部凸部、３０…木材配置部、３２…縦部材、３２２…前壁、３２４…側壁、３２５…固定孔、３２６…固定部材、３４…載置部材、４０…木材、４２…化粧木材、４２０…固定ボルト、８０…擁壁、８２…擁壁の前面、８
４…裏込め材、８６…地山、９０…砂防堰堤、９１…砂防堰堤、９２…砂防堰堤の前面、９４…既設砂防堰堤
【図１】
2019189997.tif 000003
【図２】
2019189997.tif 000004
【図３】
2019189997.tif 000005
【図４】
2019189997.tif 000006
【図５】
2019189997.tif 000007
【図６】
2019189997.tif 000008
【図７】
2019189997.tif 000009
【図８】
2019189997.tif 000010
【図９】
2019189997.tif 000011